(57)【要約】【課題】糸絡みのリスクを回避しつつデザインの自由度を向上させることができる魚釣用スピニングリールを提供する。【解決手段】リール本体１に回転自在に支持され、巻き取り操作されるハンドル６を装着したハンドル軸７と、リール本体１の外側面においてハンドル軸７周りに設けられた凹部１０５，１１０と、凹部１０５，１１０に取り付けられるカバー部材３０Ａと、を備え、凹部１０５，１１０は、ハンドル軸７の径方向に間隔を空けて少なくとも２つ設けられている構成とした。【選択図】図１
2014198021.tif 000002
【特許請求の範囲】
【請求項１】
リール本体に回転自在に支持され、巻き取り操作されるハンドルを装着したハンドル軸と、前記リール本体の外側面において前記ハンドル軸周りに設けられた凹部と、前記凹部に取り付けられるカバー部材と、を備え、
前記凹部は、前記ハンドル軸の径方向に間隔を空けて少なくとも２つ設けられていることを特徴とする魚釣用スピニングリール。
【請求項２】
前記カバー部材は前記ハンドル軸の径方向外側に延出する延出部を備えており、
前記凹部のうち前記ハンドル軸の径方向外側に設けられた前記凹部は、前記延出部の径方向最外部を収容可能であることを特徴とする請求項１に記載の魚釣用スピニングリール。
【請求項３】
前記カバー部材は、前記凹部に取り付けられることで、前記ハンドル軸周りに付設される付設部材の保持部材として機能することを特徴とする請求項１または請求項２に記載の魚釣用スピニングリール。
【発明の詳細な説明】
【技術分野】
【０００１】
本発明は、魚釣用スピニングリールに関するものである。
【背景技術】
【０００２】
一般的に、魚釣用スピニングリールは、リール本体にスプールを支持し、リール本体の一側に回転可能に支持したハンドルを通じてリール本体内の巻き取り駆動機構を駆動することにより、スプールに釣糸を巻回保持する構成とされている。
【０００３】
ところで、リール本体の外側面においてハンドル軸周りにカバー部材を取り付けた魚釣用スピニングリールが知られている（例えば、特許文献１参照）。
特許文献１では、リール本体の外側面のハンドル軸周りに凹部が設けられており、この凹部にカバー部材の外周部が挿入されて取り付けられていた。
【先行技術文献】
【特許文献】
【０００４】
【特許文献１】特開２００６−１８０７１８号公報
【発明の概要】
【発明が解決しようとする課題】
【０００５】
特許文献１では、凹部にカバー部材の外周部が挿入されてカバー部材が取り付けられる構成であるため、カバー部材の形状に制約が生じてしまい、デザインの自由度が制限されるという課題を有していた。仮に、デザインを優先して凹部よりも大きな外径のカバー部材を取り付けると、凹部の径方向外側にはみ出した部分に釣糸の解れ等による糸絡みが生じるおそれがあった。
【０００６】
本発明は、前記課題を解決するためになされたものであり、糸絡みのリスクを回避しつつデザインの自由度を向上させることができる魚釣用スピニングリールを提供することを目的とする。
【課題を解決するための手段】
【０００７】
前記目的を達成するために本発明の魚釣用スピニングリールは、リール本体に回転自在に支持され、巻き取り操作されるハンドルを装着したハンドル軸と、前記リール本体の外側面において前記ハンドル軸周りに設けられた凹部と、前記凹部に取り付けられるカバー部材と、を備え、前記凹部は、前記ハンドル軸の径方向に間隔を空けて少なくとも２つ設けられていることを特徴とする。
【０００８】
この魚釣用スピニングリールによれば、ハンドル軸の径方向内側に設けられた凹部に収まるようにして、径方向の大きさが比較的小さいカバー部材を取り付けることができる。また、ハンドル軸の径方向外側に設けられた凹部に収まるようにして、前記小さいカバー部材よりも径方向に大きいカバー部材を取り付けることができる。
【０００９】
また、本発明は、「前記カバー部材は前記ハンドル軸の径方向外側に延出する延出部を備えており、前記凹部のうち前記ハンドル軸の径方向外側に設けられた前記凹部は、前記延出部の径方向最外部を収容可能である」ことを特徴とする。
【００１０】
この魚釣用スピニングリールによれば、カバー部材に備わる延出部の径方向最外部を凹部に確実に収容することができる。
【００１１】
また、本発明は、「前記カバー部材は、前記凹部に取り付けられることで、前記ハンドル軸周りに付設される付設部材の保持部材として機能する」ことを特徴とする。
【００１２】
この魚釣用スピニングリールによれば、カバー部材を取り付けることにより、ハンドル軸周りに付設される付設部材の保持が可能となる。
【発明の効果】
【００１３】
本発明によれば、少なくとも２つ設けられた凹部を用いて、大きさの異なるカバー部材を取り付けることができるので、デザインの自由度が向上し、設計、企画の自由度も高まる。
また、それぞれの凹部に収まるようにして大きさの異なるカバー部材を取り付けることができるので、糸絡みのリスクを好適に回避することができる。
【００１４】
また、カバー部材に備わる延出部の径方向最外部を凹部に確実に収容することができるので、デザインの自由度を確保しつつ糸絡みのリスクを効果的に回避することができる。
【００１５】
また、カバー部材を取り付けることにより、ハンドル軸周りに付設される付設部材の保持が可能となるので、別途、固定部材等が不必要となり、部品点数の削減、コストの低減を図ることができる。また、別途、固定部材等が不必要となる分、ハンドル軸周りの構造の簡素化や組付性の向上を図ることができる。
【図面の簡単な説明】
【００１６】
【図１】本発明の一実施形態に係る魚釣用スピニングリールの側面図である。
【図２】図１のＡ−Ａ線に沿う断面図である。
【図３】径方向に小さいカバー部材が取り付けられたリール本体の拡大断面図である。
【図４】（ａ）は蓋体と被覆部材とカバー部材との分解斜視図、（ｂ）は組み付けた状態の側面図、（ｃ）は組み付けた状態の斜視図である。
【図５】変形例のカバー部材を示す図であり、（ａ）は蓋体と被覆部材とカバー部材との分解斜視図、（ｂ）は組み付けた状態の側面図、（ｃ）は組み付けた状態の斜視図である。
【図６】径方向に大きいカバー部材が取り付けられたリール本体の拡大断面図である。
【図７】（ａ）は蓋体と被覆部材とカバー部材との分解斜視図、（ｂ）は組み付けた状態の側面図、（ｃ）は組み付けた状態の斜視図である。
【図８】カバー部材の変形例を示す図であり、（ａ）は蓋体と被覆部材とカバー部材との分解斜視図、（ｂ）は組み付けた状態の側面図、（ｃ）は組み付けた状態の斜視図である。
【図９】カバー部材の変形例を示す図であり、（ａ）は蓋体と被覆部材とカバー部材との分解斜視図、（ｂ）は組み付けた状態の側面図、（ｃ）は透明な被覆部材を組み付けた状態の側面図である。
【図１０】（ａ）〜（ｃ）は凹部の変形例を示す模式側面図である。
【図１１】（ａ）〜（ｄ）はその他の例を示す説明図である。
【図１２】（ａ）〜（ｄ）はその他の例を示す説明図である。
【発明を実施するための形態】
【００１７】
以下、本発明に係る魚釣用スピニングリールの実施形態について図面を参照して説明する。実施形態において、同一の部分には同一の符号を付し、重複する説明は省略する。なお、以下の説明において、「前後」「上下」を言うときは、図１に示した方向を基準とし、「左右」を言うときは、図２に示した方向を基準とする。
【００１８】
（第１実施形態）
図１に示すように、主として、魚釣用スピニングリールは、図示しない釣竿に装着するための脚部１ｃが形成されたリール本体１（例えば、金属から形成される）と、リール本体１の前方に回転可能に設けられたロータ３と、このロータ３の回転運動と同期して前後方向移動可能に設けられたスプール４とを有して構成される。
リール本体１は、リールボディ１ａと、このリールボディ１ａの一側に固定される蓋体１ｂとを有し、リールボディ１ａから延出する脚部１ｃの端部に形成された竿取付部１ｄを介して図示しない釣竿に取り付けられる。蓋体１ｂは、例えば、図示しない複数の止めねじでリールボディ１ａの一側の開口部１ｅ（図２参照）に着脱可能に固定される。
【００１９】
リール本体１には、図２に示すように、左右のボール軸受１０，１１を介してハンドル軸７が回転可能に支持されており、ハンドル軸７の突出端部には、巻き取り操作されるハンドル６が取り付けられている。ハンドル軸７には、ハンドル６の巻き取り操作によりハンドル軸７が回転したときに、ハンドル軸７とともに回転するドライブギャ８が取り付けられている。ドライブギャ８は、図１に示すように、回転軸筒１２のピニオンギャ９ａに噛合している。回転軸筒１２は、ハンドル軸７と直交する方向に延出するとともに内部に軸方向に延出する空洞部を有する。回転軸筒１２の先端部には、ロータ３が一体的に取り付けられている。ロータ３は、ベール１３および釣糸案内部１３ａを備える。
【００２０】
回転軸筒１２の空洞部には、摺動可能なクリアランスを有してスプール軸１５が挿通支持されている。スプール軸１５の後端には、スプール４（スプール軸１５）を前後往復動させるための公知のスプール往復動装置１６が係合している。
【００２１】
スプール往復動装置１６は、図２に示すように、ハンドル軸７と一体回転する歯車１７と、歯車１７に噛合する連動歯車１８とを有するいわゆるギヤ方式のものである。連動歯車１８は、その回転中心軸から偏心して突設された図示しない係合突起を有している。この係合突起は、スプール軸１５の後端部に取り付けられた摺動子１９の図示しないカム溝に係合している。
【００２２】
このようなスプール往復動装置１６は、ハンドル軸７がハンドル６の巻き取り操作によって回転されると、ハンドル軸７上の歯車１７と噛み合う連動歯車１８が回転し、それに伴って、連動歯車１８の係合突起が回転するとともに、この係合突起に係合するカムの案内によって摺動子１９が前後に往復動する。したがって、摺動子１９に取り付けられたスプール軸１５が軸方向に沿って往復駆動（前後動）する。
【００２３】
このような構成を有する魚釣用スピニングリールにおいて、ハンドル６により巻き取り操作を行うと、ロータ３がドライブギャ８、ピニオンギヤ９ａ、回転軸筒１２を介して回転駆動されるとともに、スプール４がスプール往復動装置１６を介して前後往復動されるので、釣糸は、ロータ３の釣糸案内部１３ａ（図１参照）を介してスプール４の巻回胴部４ａに均等に巻回される。
【００２４】
なお、リール本体１内には、ロータ３の逆回転（釣糸をスプールから繰り出す方向の回転）を防止する周知の一方向クラッチを備えた逆転防止機構が設けられている。この逆転防止機構は、図１に示すように、リール本体１の後端壁部に設けられた切換レバー１ｇを通じて切換操作されるようになっており、ロータ３を正逆転可能な状態と、正転可能でかつ逆転不能な状態とに切り換える。
【００２５】
本実施形態のハンドル６は、ハンドル軸７の左端部７ａおよび右端部７ｂのいずれにも、締結装置２０を介して取り外し可能に固定することができる。図２に示す状態は、ハンドル軸７の右端部７ｂにハンドル６を取り付けてある。なお、ハンドル軸７の左端部７ａにハンドル６を取り付ける場合は、ハンドル軸７の左端部７ａに固定したハンドルキャップ２１を蓋体１ｂのカバー部材３０Ａから取り外し、ハンドル軸７の左端部７ａに、締結装置２０を介してハンドル６を取り付けることにより行う。そして、ハンドルキャップ２１を、反対側のリールボディ１ａの右側壁１ｈに取り付けたカバー部材３０Ａに取り付ける。
【００２６】
ハンドル軸７の左端部７ａは、図３に示すように、蓋体１ｂに設けられた開口部３８ａを通じて蓋体１ｂの左側方へ突出配置されている。開口部３８ａの内側には、ボール軸受１０が配置されており、ボール軸受１０は、ハンドル軸７の左端部７ａを支持している。また、ハンドル軸７の右端部７ｂは、右側壁１ｈに設けられた開口部３８ｂを通じて右側壁１ｈの右側方に突出配置されている。開口部３８ｂの内側には、ボール軸受１１が配置されており、ボール軸受１１は、ハンドル軸７の右端部７ｂを支持している。
なお、ハンドル軸７の左端部７ａおよび右端部７ｂには、それぞれ径の異なる雄ねじが互いに逆向きに形成してある。締結装置２０には、これらの雄ねじに互いに対応する雌ねじが形成されており、これらを螺合することにより、締結装置２０を介してハンドル６を連結することができる。
【００２７】
図２に示すように、蓋体１ｂの外側面およびリールボディ１ａの右側壁１ｈの外側面には、ハンドル軸７の径方向に間隔を空けて２つの凹部１０５，１１０がそれぞれ形成されている。凹部１０５と凹部１１０とは、リブ１０６で仕切られている。そして、これらの凹部１０５，１１０を利用して、蓋体１ｂの外側面および右側壁１ｈの外側面には、大きさの異なるカバー部材３０Ａ，３０Ｂ（図５参照）が取り付けられるようになっている。
凹部１０５，１１０は、蓋体１ｂの外側面および右側壁１ｈの外側面において同形状とされているので、以下では、蓋体１ｂの外側面に設けられる凹部１０５，１１０について説明する。
【００２８】
図４に示すように、凹部１０５は、側面視で略円環状を呈しており、開口部３８ａを形成している円筒部１０１の周りを囲むように蓋体１ｂに凹設されている。凹部１０５内の底面には、周方向に並ぶ３つの長溝１０４が形成されている。隣接する長溝１０４間には、計３つのねじ孔１０３が形成されている。
【００２９】
凹部１０５には、側面視で略円環状を呈する被覆部材４０が装着される。被覆部材４０には、凹部１０５の３つのねじ孔１０３に対応する３つの挿通孔４３が形成されている。被覆部材４０の内縁部４１は、蓋体１ｂの円筒部１０１の外径よりも大きい内径を有しており、円筒部１０１の外周面に間隔を空けて位置する。また、被覆部材４０の外縁部４２は、リブ１０６に内嵌可能な外径を有している。
凹部１１０は、側面視で略Ｃ字状（図４（ｂ）参照）を呈しており、凹部１０５の径方向外側に凹部１０５と間隔を空けて同心状に凹設されている。
【００３０】
次に、凹部１０５に対して取り付けられる径方向に小さい（比較的小径とされた）カバー部材３０Ａについて説明する。
図４（ａ）に示すように、カバー部材３０Ａは、ハンドル軸７の左端部７ａを挿通する内孔３１ａを形成するフランジ部３１と、このフランジ部３１に連続する段部３２と、段部３２から径方向外側に延びる略ディスク状の延出部３３と、を有する。内孔３１ａの内面には、図３に示すように、ハンドルキャップ２１を螺合により取り付けるための雌ねじが形成されている。つまり、カバー部材３０Ａは、ハンドル軸７周りに付設されるハンドルキャップ２１を保持する部材として機能するようになっている。
なお、ハンドルキャップ２１の周壁２１ａは、カバー部材３０Ａに螺着した状態で、カバー部材３０Ａの段部３２の側面３２ａに当接するようになっており、この当接により必要以上にねじ込まれることが防止されている。
【００３１】
延出部３３には、図４（ａ）に示すように、周方向に並ぶ３つの長孔３４が形成されている。３つの長孔３４は、蓋体１ｂの凹部１０５の長溝１０４にそれぞれ対応した形状とされている。隣接する長孔３４間には、計３つのねじ孔３５が形成されている。３つのねじ孔３５は、蓋体１ｂの凹部１０５のねじ孔１０３に対応して形成されている。
【００３２】
このようなカバー部材３０Ａは、３つのねじ３６を用いて凹部１０５に取り付けることができる。つまり、カバー部材３０Ａのねじ孔３５にねじ３６を通し、これをさらに被覆部材４０の挿通孔４３に通して、凹部１０５のねじ孔１０３に螺合する。これにより、カバー部材３０Ａを凹部１０５に収容するようにして、蓋体１ｂに取り付けることができる。
なお、凹部１０５にカバー部材３０Ａを取り付けると、図４（ｂ）に示すように、カバー部材３０Ａの長孔３４を通じて、内側の被覆部材４０が露出する状態となる。
【００３３】
また、図３に示すように、ハンドル軸７の軸方向において、カバー部材３０Ａのフランジ部３１は、ボール軸受１０に対向しており、凹部１０５にカバー部材３０Ａを取り付けることにより、円環状のスペーサ３１ｂを介してボール軸受１０に当接する。つまり、カバー部材３０Ａは、ハンドル軸７周りに付設されるボール軸受１０を保持する部材として機能するようになっている。なお、スペーサ３１ｂは必ずしも設けなくてもよい。
【００３４】
なお、右側壁１ｈに取り付けられるカバー部材３０Ａのフランジ部３１は、ボール軸受１１に対向する部分３１ｃがボール軸受１１に向けて突出しており、この対向する部分３１ｃが、円環状のスペーサ３１ｄを介してボール軸受１１に当接するようになっている。
【００３５】
図５に変形例のカバー部材３０Ｂを示す。
このカバー部材３０Ｂは、円環状を呈しており、凹部１０５内に全体が収容されるようになっている。
カバー部材３０Ｂには、周方向に並ぶ３つの長孔３４ａが形成されている。３つの長孔３４は、蓋体１ｂの凹部１０５の長溝１０４にそれぞれ対応した形状とされている。また、隣接する長孔３４ａ間には、計３つのねじ孔３５ａが形成されている。３つのねじ孔３５ａは、蓋体１ｂの凹部１０５のねじ孔１０３に対応して形成されている。
【００３６】
このようなカバー部材３０Ｂは、被覆部材４０を固定するための機能、および蓋体１ｂにおけるハンドル軸７周りを装飾するための化粧板として機能する。
なお、カバー部材３０Ｂは、前記したカバー部材３０Ａに備わるフランジ部３１等を有していないので、前記したカバー部材３０Ａに比べて軽量化が可能である。
このようなカバー部材３０Ｂを用いた場合には、蓋体１ｂの円筒部１０１にボール軸受１０（１１）を保持する突起等を設けることで、ボール軸受１０（１１）の保持が可能である。
【００３７】
なお、長孔３４ａは、必ずしも設けなくてもよく、被覆部材４０を介設せずに凹部１０５に対してカバー部材３０Ｂを直接収容するように構成してもよい。
【００３８】
次に、凹部１１０に取り付けられる径方向に大きい（大径とされた）カバー部材３０Ｃについて説明する。
図６，７に示すように、カバー部材３０Ｃが前記した小径のカバー部材３０Ａと異なるところは、延出部３３が径方向外側へ向けてさらに延出している点である。
延出部３３の外周縁部３３ａは、蓋体１ｂの凹部１１０に対応して延出形成されており、凹部１１０に対して挿入可能となっている。これにより、カバー部材３０Ｃを蓋体１ｂに取り付けると、図６に示すように、先端となる外周縁部３３ａがリブ１０６を跨ぐ（覆う）ようにして凹部１１０内に挿入される。つまり、凹部１１０は、カバー部材３０Ｃの径方向最外部を収容可能に構成されている。
なお、延出部３３の先端部は、外周縁部３６ａへ向けて緩やかに湾曲しており、釣糸の解れ等による糸絡みが生じることがない。
【００３９】
図８，図９に径方向に大きいカバー部材３０Ｄ，３０Ｅの変形例を示す。
カバー部材３０Ｄは、図８（ａ）〜（ｃ）に示すように、三方向に延出する延出部３７を有しており、側面視で手裏剣形状（図８（ｂ）参照）を呈している。延出部３７は、段部３２から径方向外側に向けてそれぞれ延出している。延出部３７の径方向最外部となる先端縁部３７ｂは、凹部１１０に対応して延出形成されており、凹部１１０に対して挿入可能となっている。なお、延出部３７の先端部には孔部３７ａが形成されている。
【００４０】
このようなカバー部材３０Ｄを蓋体１ｂに取り付けると、図８（ｂ）（ｃ）に示すように、延出部３７の先端部がリブ１０６を跨ぐ（覆う）ようにして位置し、先端縁部３７ｂが凹部１１０内に挿入される。
なお、延出部３７の先端部は、凹部１１０に向けて傾斜しており、延出部３７の先端部に対して釣糸の解れ等による糸絡みが生じることがない。
【００４１】
図９に示すカバー部材３０Ｅは、図８に示したカバー部材３０Ｄをさらに変形したものであり、先端縁部３７ｂ間に亘るようにＣ字形状の枠部材３８を設けたものである。
枠部材３８は、蓋体１ｂの凹部１１０に対応して形成されており、凹部１１０に対して挿入可能となっている。これにより、カバー部材３０Ｅを蓋体１ｂに取り付けると、図９（ｂ）に示すように、延出端となる先端縁部３７ｂがリブ１０６を跨ぐ（覆う）ようにして位置し、枠部材３８が凹部１１０内に挿入される。また、枠部材３８を介して先端縁部３７ｂが凹部１１０内に確実に収容されることとなり、延出部３７の先端部に対して釣糸の解れ等による糸絡みが生じることをより確実に回避することができる。
図９（ｃ）は、被覆部材４０として、透明な材質のものを用いたものであり、被覆部材４０を通じて外部に蓋体１ｂの長溝１０４が臨むようになっている。なお、図９（ｃ）では、先端部に孔部３７ａが形成されていないものを示した。
【００４２】
なお、これらの変形例では、三方向に延出する延出部３７を示したが、これに限られることはなく、二方向や四方向に延出部３７が延出するように構成してもよいし、五方向以上の方向に延出部３７が延出するように構成してもよい。
【００４３】
以上説明した本実施形態の魚釣用スピニングリールによれば、２つ設けられた凹部１０５，１１０を用いて、大きさの異なるカバー部材３０Ａ〜３０Ｅを取り付けることができるので、デザインの自由度が向上し、設計、企画の自由度も高まる。
また、それぞれの凹部１０５，１１０に収まるようにして大きさの異なるカバー部材３０Ａ〜３０Ｅを取り付けることができるので、糸絡みのリスクを好適に回避することができる。
【００４４】
また、カバー部材３０Ｃ〜３０Ｅに備わる延出部３３，３７の径方向最外部となる外周縁部３３ａ，先端縁部３７ｂを、凹部１１０に確実に収容することができるので、デザインの自由度を確保しつつ糸絡みのリスクを効果的に回避することができる。
【００４５】
また、カバー部材３０Ａ，３０Ｃ〜３０Ｅを取り付けることにより、ハンドル軸７周りに付設されるボール軸受１０（１１）等の付設部材の保持が可能となるので、別途、固定部材（保持部材）等が不必要となり、部品点数の削減、コストの低減を図ることができる。また、別途、固定部材（保持部材）等が不必要となる分、ハンドル軸７周りの構造の簡素化や組付性の向上を図ることができる。
【００４６】
前記実施形態では、凹部１０５の周りに周状の凹部１１０を形成したものを示したが、これに限られることはなく、図１０（ａ）に示すように、凹部１０５の周りに凹部１１０ａを部分的に点在させてもよい。凹部１１０ａは、湾曲線状であり、凹部１０５の周りにおいて同心状に９０度間隔で形成されている。
【００４７】
このような魚釣用スピニングリールによれば、凹部１０５を利用して径方向に小さい（比較的小径とされた）カバー部材３０Ａを凹部１０５内に収容して取り付けることができるとともに、凹部１１０ａを利用して径方向に大きい（大径とされた）カバー部材を取り付けることができる。この場合、凹部１１０ａに対応するように延出部の最外周縁部（最外部）を設け、凹部１１０ａに最外周縁部（最外部）が収容されるように構成する。
【００４８】
なお、凹部１１０ａは、周方向に４つ設けたものを示したが、少なくとも１つ設けられていればよい。また、凹部１１０ａは、同心状に設けたものを示したが、径方向にずらして設けてもよい。
【００４９】
また、図１０（ｂ）に示すように、凹部１０５の周りに五角形状の凹部１１０ｂを設けてもよい。
このような魚釣用スピニングリールによれば、凹部１１０ｂを利用して五角形の例えばワッペン状のカバー部材を取り付けることができる。
【００５０】
さらに、図１０（ｃ）に示すように、凹部１０５を略正五角形状に形成し、この凹部１０５の各辺の側方に小円形状の凹部１１０ｃを設けてもよい。
このような魚釣用スピニングリールによれば、凹部１１０ｃを利用して、凹部１１０ｃに収容される延出部を備えた径方向に大きいカバー部材を取り付けることができる。
【００５１】
なお、図１１（ａ）に示すように、蓋体１ｂに２つの凹部１０５ｅ，１１０ｅが形成されている場合に、図１１（ｂ）（ｃ）に示すように、個々の凹部１０５ｅ，１１０ｅにカバー部材３０Ｆ，３０Ｇを個別に取り付けるとともに、図１１（ｄ）に示すように、カバー部材３０Ｆ，３０Ｇ同士を重ねた状態にして取り付けられるように構成してもよい。
【００５２】
また、図１２（ａ）に示すように、蓋体１ｂの径方向に間隔を空けて凸部１１１，１１１２を設けて、相対的に凹部１０５ｆ，１１０ｆを形成し、凹部１０５ｆ，１１０ｆに対してカバー部材３０Ｈ，３０Ｊをそれぞれ取り付けてもよい。この場合に、図１２(ｄ)に示すように、カバー部材３０Ｊに対して凹部１０５ｆに一部が挿入される支持部３０ｋを設けてもよい。
【００５３】
また、前記した実施形態や変形例等において、カバー部材３０Ａ〜３０Ｊの材質や表面処理、色調等を変更することにより、デザインの自由度をより一層向上させることができる。このようなカバー部材３０Ａ〜３０Ｊによってリールの側面にワンポイントのデザイン的な特徴を付与することができる。
【００５４】
また、前記した実施形態や変形例等において、ハンドル軸７の径方向に間隔を空けて２つの凹部１０５，１１０を設けたものを示したが、これに限られることはなく、ハンドル軸７の径方向に間隔を空けて３つ以上の凹部を設けてもよい。
【符号の説明】
【００５５】
１      リール本体            １０５，１１０    凹部
６      ハンドル              ３０Ａ〜３０Ｊ    カバー部材
７      ハンドル軸
【図１】
2014198021.tif 000003
【図２】
2014198021.tif 000004
【図３】
2014198021.tif 000005
【図４】
2014198021.tif 000006
【図５】
2014198021.tif 000007
【図６】
2014198021.tif 000008
【図７】
2014198021.tif 000009
【図８】
2014198021.tif 000010
【図９】
2014198021.tif 000011
【図１０】
2014198021.tif 000012
【図１１】
2014198021.tif 000013
【図１２】
2014198021.tif 000014